(57)【特許請求の範囲】
【請求項１】
受信データを予め設定されたルールに従って選定した所定のデータボックスに蓄積するボックス選定機能を有する通信端末装置において、
受信データの属性情報と特定のデータボックスとを対応付けた振り分けテーブルを前記属性情報の種別毎若しくは複数の属性情報の種別毎に記憶する記憶手段と、
前記記憶手段に記憶された振り分けテーブルの参照順序を記憶する参照順序記憶手段と、
前記参照順序記憶手段に記憶された参照順序で前記振り分けテーブルを参照し、前記受信データの属性情報と初めに一致した属性情報に対応するデータボックスに当該受信データを格納するデータ格納制御手段と
を具備することを特徴とする通信端末装置。
【請求項２】
前記記憶手段は、
受信データの発信者を識別する発信者識別情報と特定のデータボックスとを対応付けた発信者識別情報振り分けテーブルと、
受信データの受信者を識別する受信者識別情報と特定のデータボックスとを対応付けた受信者識別情報振り分けテーブルと、
受信データの着信回線を識別する着信回線識別情報と特定のデータボックスとを対応付けた着信回線識別情報振り分けテーブルと
を記憶し、
前記参照順序記憶手段は、
前記発信者識別情報対応テーブルと前記受信者識別情報対応テーブルと着信回線識別情報対応テーブルの参照順序を記憶する
ことを特徴とする請求項１記載の通信端末装置。
【請求項３】
前記記憶手段は、
受信データの発信側に関する情報と特定のデータボックスとを対応付けた発信側情報振り分けテーブルと、
受信データの受信側に関する情報と特定のデータボックスとを対応付けた受信側情報振り分けテーブルと
を記憶し、
前記参照順序記憶手段は、
前記発信側情報振り分けテーブルと前記受信側情報振り分けテーブルの参照順序を記憶する
ことを特徴とする請求項１記載の通信端末装置。
【請求項４】
前記受信データの発信者によって当該受信データを格納すべきデータボックスの指定があった場合は、当該受信データについては前記データ格納制御手段によるデータボックスへの格納制御を行なわず、前記発信者によって指定されたデータボックスに前記受信データを格納する
ことを特徴とする請求項１記載の通信端末装置。
【請求項５】
前記参照順序記憶手段は、
発信者によるデータボックスの指定を前記参照順序に含み、
前記データ格納制御手段は、
前記発信者によるデータボックスの指定を参照した場合は、発信者によって指定されたデータボックスに前記受信データを格納する
ことを特徴とする請求項１記載の通信端末装置。
【請求項６】
前記受信データの受信に際して特定の付加機能の指定があった場合、当該受信データについては前記データ格納制御手段によるデータボックスへの格納制御を行なわない
ことを特徴とする請求項１記載の通信端末装置。
【請求項７】
前記特定の付加機能は、中継同報である
ことを特徴とする請求項６記載の通信端末装置。
【請求項８】
受信データを予め設定されたルールに従って選定した所定のデータボックスに蓄積するボックス選定機能を有する通信端末装置において、
受信データの属性情報と特定のデータボックスとの対応付けを順位を付されて登録された振り分けテーブルを記憶する記憶手段と、
前記振り分けテーブル内の属性情報を前記順位に基づいて参照し、前記受信データの属性情報と初めに一致した属性情報に対応するデータボックスに当該受信データを格納するデータ格納制御手段と
を有することを特徴とする通信端末装置。
【請求項９】
前記受信データの発信者によって当該受信データを格納すべきデータボックスの指定があった場合は、当該受信データについては前記データ格納制御手段によるデータボックスへの格納制御を行なわず、前記発信者によって指定されたデータボックスに前記受信データを格納する
ことを特徴とする請求項８記載の通信端末装置。
【請求項１０】
前記参照順序記憶手段は、
前記振り分けテーブルの参照順序に加えて、発信者によるデータボックス指定に関する規定が登録された優先順位テーブルを記憶する
ことを特徴とする請求項８記載の通信端末装置。
【請求項１１】
前記受信データの受信に際して特定の付加機能の指定があった場合、当該受信データについては前記データ格納制御手段によるデータボックスへの格納制御を行なわない
ことを特徴とする請求項８記載の通信端末装置。
【請求項１２】
前記特定の付加機能は、中継同報である
ことを特徴とする請求項１１記載の通信端末装置。
【請求項１３】
少なくとも１つのデータボックスを有し、受信データを予め設定されたルールに従って選定した所定のデータボックスに蓄積するボックス選定機能を有する通信端末装置において、
受信データの属性情報と特定のデータボックスとの対応付けを順位を付されて登録された振り分けテーブルを記憶する記憶手段と、
前記振り分けテーブル内の属性情報を前記順位に基づいて参照し、前記受信データの属性情報と一致した属性情報に対応する全てのデータボックスに当該受信データを格納するデータ格納制御手段と
を具備することを特徴とする通信端末装置。
【請求項１４】
前記記憶手段に前記振り分けテーブルが複数存在する場合には、該振り分けテーブルの参照順序を記憶する参照順序記憶手段
を更に具備することを特徴とする請求項１３記載の通信端末装置。
【請求項１５】
前記データ格納制御手段は、
複数の振り分けテーブルの参照により同一のデータボックスに受信データを格納する場合、ある振り分けテーブルの参照によってすでに前記受信データが格納されていると、別の振り分けテーブルの参照による当該受信データの格納を行なわない
ことを特徴とする請求項１３記載の通信端末装置。
【請求項１６】
前記データ格納制御手段は、
複数の振り分けテーブルの参照により同一のデータボックスに受信データを格納する場合、ある振り分けテーブルの参照によってすでに前記受信データが格納されていると、別の振り分けテーブルの参照による当該受信データをすでに格納されている受信データに上書きする
ことを特徴とする請求項１３記載の通信端末装置。
【請求項１７】
少なくとも１つのデータボックスを有し、受信データを予め設定されたルールに従って選定した所定のデータボックスに蓄積するボックス選定機能を有する通信端末装置において、
受信データの属性情報と特定のデータボックスとの対応付けを順位を付されて登録された振り分けテーブルを記憶する記憶手段と、
前記受信データを前記データボックスとは別個に設けられた記憶領域に格納するとともに、前記振り分けテーブル内の属性情報を前記順位に基づいて参照し、前記受信データの属性情報と一致した属性情報に対応する全てのデータボックスに当該受信データへの参照情報を格納するデータ格納制御手段と
を具備することを特徴とする通信端末装置。
【請求項１８】
前記参照情報は、
前記受信データのプリント若しくは取り出しの際に、該プリント若しくは該取り出しを指示したユーザの管理するデータボックスのパスワードのみの入力を要求する単純参照情報と、
前記受信データのプリント若しくは取り出しの際に、該プリント若しくは該取り出しを指示したユーザの管理するデータボックスのパスワードとともに当該データボックスとは別の所定のデータボックスのパスワードの入力を要求する条件付き参照情報と
を含むことを特徴とする請求項１７記載の通信端末装置。
【請求項１９】
前記データ格納制御手段は、
前記受信データの発信者によって当該受信データを格納すべきデータボックスの指定があった場合、前記発信者によって指定されたデータボックスに前記受信データへの前記単純参照情報を格納し、前記受信データの属性情報と前記振り分けテーブルに登録された属性情報とを比較し、一致した属性情報に対応する全てのデータボックスに前記受信データへの条件付き参照情報を格納する
ことを特徴とする請求項１７記載の通信端末装置。
【請求項２０】
前記条件付き参照情報は、
前記受信データのプリント若しくは取り出しの際に、該プリント若しくは該取り出しを指示したユーザの管理するデータボックスのパスワードとともに、前記発信者によって指定されたデータボックスのパスワードを要求する
ことを特徴とする請求項１９記載の通信端末装置。
【請求項２１】
前記データ格納制御手段は、
前記受信データへの参照情報の少なくとも１つに削除指示が出された場合、前記受信データおよび該受信データへの全ての参照情報を削除する
ことを特徴とする請求項１７記載の通信端末装置。
【請求項２２】
前記データ格納制御手段は、
前記受信データへの参照情報が全て削除されるまで、該受信データを削除しない
ことを特徴とする請求項１７記載の通信端末装置。
【請求項２３】
前記データ格納制御手段は、
前記受信データに削除指示が出された場合、前記受信データとともに該受信データへの全ての参照情報を削除する
ことを特徴とする請求項１７記載の通信端末装置。
【請求項２４】
少なくとも１つのデータボックスを有し、受信データを予め設定されたルールに従って選定した所定のデータボックスに蓄積するボックス選定機能を有する通信端末装置において、
受信データの属性情報と特定のデータボックスとの対応付けを順位を付されて登録された振り分けテーブルを記憶する記憶手段と、
前記受信データの発信者によって指定されたデータボックスに前記受信データを格納するとともに、前記振り分けテーブル内の属性情報を前記順位に基づいて参照し、前記受信データの属性情報と一致した属性情報に対応する全てのデータボックスに当該受信データへの参照情報を格納するデータ格納制御手段と
を具備することを特徴とする通信端末装置。
【請求項２５】
前記参照情報は、
前記受信データのプリント若しくは取り出しの際に、該プリント若しくは該取り出しを指示したユーザの管理するデータボックスのパスワードのみの入力を要求する単純参照情報と、
前記受信データのプリント若しくは取り出しの際に、該プリント若しくは該取り出しを指示したユーザの管理するデータボックスのパスワードとともに当該データボックスとは別の所定のデータボックスのパスワードの入力を要求する条件付き参照情報と
を含むことを特徴とする請求項２４記載の通信端末装置。
【請求項２６】
前記データ格納制御手段は、
前記受信データへの参照情報の少なくとも１つに削除指示が出された場合、前記受信データおよび該受信データへの全ての参照情報を削除する
ことを特徴とする請求項２４記載の通信端末装置。
【請求項２７】
前記データ格納制御手段は、
前記受信データへの参照情報が全て削除されるまで、該受信データを削除しない
ことを特徴とする請求項２４記載の通信端末装置。
【請求項２８】
前記データ格納制御手段は、
前記受信データに削除指示が出された場合、前記受信データとともに該受信データへの全ての参照情報を削除する
ことを特徴とする請求項２４記載の通信端末装置。
【発明の詳細な説明】
【０００１】
【発明の属する技術分野】
この発明は、通信機能を有する通信端末装置に関し、特に、受信データを格納するデータボックスをユーザが選定できる通信端末装置に関する。
【０００２】
【従来の技術】
従来、ファクシミリ装置として、親展通信機能を備えたものが提供されている。
【０００３】
このようなファクシミリ装置においては、なんらかの方法で送信側にて親展送信の指定が行なわれると、受信の後、即座にプリントアウトを行なうのではなく、それぞれのデータボックスに受信データが格納され、後に受信側の受取人の操作でプリントする、という動作をさせることが可能である。
【０００４】
一般に、ファクシミリ装置は、複数人で共用されることが多く、受信データを単純にプリントしてしまうと、
１）  機密性を持つ文書であっても人目についてしまう、
２）  プリントした文書を他人に持ち去られてしまう、
３）  文書を捨てられる
等の問題が生じることが考えられるが、上記の親展通信機能を用いることにより、受信側でプリントアウトの指定をするまでプリントされないため、これらの問題は解決できる。
【０００５】
さらに、この親展通信機能においては、データボックスからデータをプリントアウトする際にパスワードを要求することが可能であるため、高い機密性を保つことができる。
【０００６】
しかし、親展通信で多く用いられるＦコードは、一部のファクシミリ装置にしか搭載されていない。
【０００７】
また、他の親展通信の指定方法としてＤＴＭＦがあるが、これは＃や＊などといった煩雑な記号の羅列となり、相手先に覚えてもらうことが困難である。
【０００８】
さらに、近年では、ＰＤＡやモバイルツールなど、ファクシミリの送信元も多様化しており、一般的にそのようなツールでは、基本的な番号指定のみの送信機能しか備えていない場合が多く、そのような送信元にも対応した親展通信の指定方法が強く望まれている。
【０００９】
特開平６−３０２１４号公報では、ダイヤルイン番号と親展通信を組み合わせることにより上記問題を改善している。
【００１０】
【発明が解決しようとする課題】
しかしながら、上記従来技術の問題点として、
１）  ダイヤルイン番号は有料のサービスであり、したがって、親展通信を実現するためにはダイヤルイン契約を行なわなければならず、ユーザごとに１つのダイヤルイン番号を割り当てるとコストがかかる。
【００１１】
２）  ダイヤルイン番号によって受信機能を選択するのみであり、多様化する活用方法に対応できない。例えば、顧客に親展送信をしてもらうような運用方法を採用する際に問題になるのが、営業担当者が交代した場合である。ある特定の顧客の担当のみから離れたのであれば、その営業担当者は同じデータボックスを使い続け、顧客には、新たな担当者のダイヤルイン番号を顧客に伝えることになるが、これは顧客にある種の手間を生じさせることになり、営業機会の損失にもつながりかねない。さらに、新たなダイヤルイン番号が正しく伝わらなかった場合などに混乱を生じるケースがまま発生する。近年、企業内での組織の流動化は激しく、このような方法では、現実的に対応しきれなくなるであろうと予想される。
【００１２】
の２点があげられる。
【００１３】
そこで、この発明は、上記の問題を解決するとともに、今後さらに多様化するであろうファクシミリ通信の活用方法に対応できる通信端末装置を提供する目的とする。
【００１４】
【課題を解決するための手段】
上記目的を達成するため、請求項１記載の発明は、受信データを予め設定されたルールに従って選定した所定のデータボックスに蓄積するボックス選定機能を有する通信端末装置において、受信データの属性情報と特定のデータボックスとを対応付けた振り分けテーブルを前記属性情報の種別毎若しくは複数の属性情報の種別毎に記憶する記憶手段と、前記記憶手段に記憶された振り分けテーブルの参照順序を記憶する参照順序記憶手段と、前記参照順序記憶手段に記憶された参照順序で前記振り分けテーブルを参照し、前記受信データの属性情報と初めに一致した属性情報に対応するデータボックスに当該受信データを格納するデータ格納制御手段とを具備することを特徴とする。
【００１５】
また、請求項２記載の発明は、請求項１記載の発明において、前記記憶手段は、受信データの発信者を識別する発信者識別情報と特定のデータボックスとを対応付けた発信者識別情報振り分けテーブルと、受信データの受信者を識別する受信者識別情報と特定のデータボックスとを対応付けた受信者識別情報振り分けテーブルと、受信データの着信回線を識別する着信回線識別情報と特定のデータボックスとを対応付けた着信回線識別情報振り分けテーブルとを記憶し、前記参照順序記憶手段は、前記発信者識別情報対応テーブルと前記受信者識別情報対応テーブルと着信回線識別情報対応テーブルの参照順序を記憶することを特徴とする。
【００１６】
また、請求項３記載の発明は、請求項１記載の発明において、前記記憶手段は、受信データの発信側に関する情報と特定のデータボックスとを対応付けた発信側情報振り分けテーブルと、受信データの受信側に関する情報と特定のデータボックスとを対応付けた受信側情報振り分けテーブルとを記憶し、前記参照順序記憶手段は、前記発信側情報振り分けテーブルと前記受信側情報振り分けテーブルの参照順序を記憶することを特徴とする。
【００１７】
また、請求項４記載の発明は、請求項１記載の発明において、前記受信データの発信者によって当該受信データを格納すべきデータボックスの指定があった場合は、当該受信データについては前記データ格納制御手段によるデータボックスへの格納制御を行なわず、前記発信者によって指定されたデータボックスに前記受信データを格納することを特徴とする。
【００１８】
また、請求項５記載の発明は、請求項１記載の発明において、前記参照順序記憶手段は、発信者によるデータボックスの指定を前記参照順序に含み、前記データ格納制御手段は、前記発信者によるデータボックスの指定を参照した場合は、発信者によって指定されたデータボックスに前記受信データを格納することを特徴とする。
【００１９】
また、請求項６記載の発明は、請求項１記載の発明において、前記受信データの受信に際して特定の付加機能の指定があった場合、当該受信データについては前記データ格納制御手段によるデータボックスへの格納制御を行なわないことを特徴とする。
【００２０】
また、請求項７記載の発明は、請求項６記載の発明において、前記特定の付加機能は、中継同報であることを特徴とする。
【００２１】
また、請求項８記載の発明は、受信データを予め設定されたルールに従って選定した所定のデータボックスに蓄積するボックス選定機能を有する通信端末装置において、受信データの属性情報と特定のデータボックスとの対応付けを順位を付されて登録された振り分けテーブルを記憶する記憶手段と、前記振り分けテーブル内の属性情報を前記順位に基づいて参照し、前記受信データの属性情報と初めに一致した属性情報に対応するデータボックスに当該受信データを格納するデータ格納制御手段とを有することを特徴とする。
【００２２】
また、請求項９記載の発明は、請求項８記載の発明において、前記受信データの発信者によって当該受信データを格納すべきデータボックスの指定があった場合は、当該受信データについては前記データ格納制御手段によるデータボックスへの格納制御を行なわず、前記発信者によって指定されたデータボックスに前記受信データを格納することを特徴とする。
【００２３】
また、請求項１０記載の発明は、請求項８記載の発明において、前記参照順序記憶手段は、前記振り分けテーブルの参照順序に加えて、発信者によるデータボックス指定に関する規定が登録された優先順位テーブルを記憶することを特徴とする。
【００２４】
また、請求項１１記載の発明は、請求項８記載の発明において、前記受信データの受信に際して特定の付加機能の指定があった場合、当該受信データについては前記データ格納制御手段によるデータボックスへの格納制御を行なわないことを特徴とする。
【００２５】
また、請求項１２記載の発明は、請求項１１記載の発明において、前記特定の付加機能は、中継同報であることを特徴とする。
【００２６】
また、請求項１３記載の発明は、少なくとも１つのデータボックスを有し、受信データを予め設定されたルールに従って選定した所定のデータボックスに蓄積するボックス選定機能を有する通信端末装置において、受信データの属性情報と特定のデータボックスとの対応付けを順位を付されて登録された振り分けテーブルを記憶する記憶手段と、前記振り分けテーブル内の属性情報を前記順位に基づいて参照し、前記受信データの属性情報と一致した属性情報に対応する全てのデータボックスに当該受信データを格納するデータ格納制御手段とを具備することを特徴とする。
【００２７】
また、請求項１４記載の発明は、請求項１３記載の発明において、前記記憶手段に前記振り分けテーブルが複数存在する場合には、該振り分けテーブルの参照順序を記憶する参照順序記憶手段を更に具備することを特徴とする。
【００２８】
また、請求項１５記載の発明は、請求項１３記載の発明において、前記データ格納制御手段は、複数の振り分けテーブルの参照により同一のデータボックスに受信データを格納する場合、ある振り分けテーブルの参照によってすでに前記受信データが格納されていると、別の振り分けテーブルの参照による当該受信データの格納を行なわないことを特徴とする。
【００２９】
また、請求項１６記載の発明は、請求項１３記載の発明において、前記データ格納制御手段は、複数の振り分けテーブルの参照により同一のデータボックスに受信データを格納する場合、ある振り分けテーブルの参照によってすでに前記受信データが格納されていると、別の振り分けテーブルの参照による当該受信データをすでに格納されている受信データに上書きすることを特徴とする。
【００３０】
また、請求項１７記載の発明は、少なくとも１つのデータボックスを有し、受信データを予め設定されたルールに従って選定した所定のデータボックスに蓄積するボックス選定機能を有する通信端末装置において、受信データの属性情報と特定のデータボックスとの対応付けを順位を付されて登録された振り分けテーブルを記憶する記憶手段と、前記受信データを前記データボックスとは別個に設けられた記憶領域に格納するとともに、前記振り分けテーブル内の属性情報を前記順位に基づいて参照し、前記受信データの属性情報と一致した属性情報に対応する全てのデータボックスに当該受信データへの参照情報を格納するデータ格納制御手段とを具備することを特徴とする。
【００３１】
また、請求項１８記載の発明は、請求項１７記載の発明において、前記参照情報は、前記受信データのプリント若しくは取り出しの際に、該プリント若しくは該取り出しを指示したユーザの管理するデータボックスのパスワードのみの入力を要求する単純参照情報と、前記受信データのプリント若しくは取り出しの際に、該プリント若しくは該取り出しを指示したユーザの管理するデータボックスのパスワードとともに当該データボックスとは別の所定のデータボックスのパスワードの入力を要求する条件付き参照情報とを含むことを特徴とする。
【００３２】
また、請求項１９記載の発明は、請求項１７記載の発明において、前記データ格納制御手段は、前記受信データの発信者によって当該受信データを格納すべきデータボックスの指定があった場合、前記発信者によって指定されたデータボックスに前記受信データへの前記単純参照情報を格納し、前記受信データの属性情報と前記振り分けテーブルに登録された属性情報とを比較し、一致した属性情報に対応する全てのデータボックスに前記受信データへの条件付き参照情報を格納することを特徴とする。
【００３３】
また、請求項２０記載の発明は、請求項１９記載の発明において、前記条件付き参照情報は、前記受信データのプリント若しくは取り出しの際に、該プリント若しくは該取り出しを指示したユーザの管理するデータボックスのパスワードとともに、前記発信者によって指定されたデータボックスのパスワードを要求することを特徴とする。
【００３４】
また、請求項２１記載の発明は、請求項１７記載の発明において、前記データ格納制御手段は、前記受信データへの参照情報の少なくとも１つに削除指示が出された場合、前記受信データおよび該受信データへの全ての参照情報を削除することを特徴とする。
【００３５】
また、請求項２２記載の発明は、請求項１７記載の発明において、前記データ格納制御手段は、前記受信データへの参照情報が全て削除されるまで、該受信データを削除しないことを特徴とする。
【００３６】
また、請求項２３記載の発明は、請求項１７記載の発明において、前記データ格納制御手段は、前記受信データに削除指示が出された場合、前記受信データとともに該受信データへの全ての参照情報を削除することを特徴とする。
【００３７】
また、請求項２４記載の発明は、少なくとも１つのデータボックスを有し、受信データを予め設定されたルールに従って選定した所定のデータボックスに蓄積するボックス選定機能を有する通信端末装置において、受信データの属性情報と特定のデータボックスとの対応付けを順位を付されて登録された振り分けテーブルを記憶する記憶手段と、前記受信データの発信者によって指定されたデータボックスに前記受信データを格納するとともに、前記振り分けテーブル内の属性情報を前記順位に基づいて参照し、前記受信データの属性情報と一致した属性情報に対応する全てのデータボックスに当該受信データへの参照情報を格納するデータ格納制御手段とを具備することを特徴とする。
【００３８】
また、請求項２５記載の発明は、請求項２４記載の発明において、前記参照情報は、前記受信データのプリント若しくは取り出しの際に、該プリント若しくは該取り出しを指示したユーザの管理するデータボックスのパスワードのみの入力を要求する単純参照情報と、前記受信データのプリント若しくは取り出しの際に、該プリント若しくは該取り出しを指示したユーザの管理するデータボックスのパスワードとともに当該データボックスとは別の所定のデータボックスのパスワードの入力を要求する条件付き参照情報とを含むことを特徴とする。
【００３９】
また、請求項２６記載の発明は、請求項２４記載の発明において、前記データ格納制御手段は、前記受信データへの参照情報の少なくとも１つに削除指示が出された場合、前記受信データおよび該受信データへの全ての参照情報を削除することを特徴とする。
【００４０】
また、請求項２７記載の発明は、請求項２４記載の発明において、前記データ格納制御手段は、前記受信データへの参照情報が全て削除されるまで、該受信データを削除しないことを特徴とする。
【００４１】
また、請求項２８記載の発明は、請求項２４記載の発明において、前記データ格納制御手段は、前記受信データに削除指示が出された場合、前記受信データとともに該受信データへの全ての参照情報を削除することを特徴とする。
【００４２】
【発明の実施の形態】
以下、この発明に係わる通信端末装置の実施の形態を添付図面を参照して詳細に説明する。
【００４３】
なお、この発明に係る通信端末装置の一例として、親展通信機能を有するファクシミリ装置について説明する。
【００４４】
図１は、この発明に係わるファクシミリ装置の全体構成を示すものである。
【００４５】
図１において、ＣＰＵ１は、ファクシミリ装置全体の各種制御処理を行うものであり、ＲＡＭ２は、ＣＰＵ１のワークエリアとして使用される。
【００４６】
なお、ＣＰＵ１が実行する制御処理プログラム、および制御処理プログラムを実行するときに必要な各種データ等は、システム制御部８に記憶されている。
【００４７】
操作表示装置３は、このファクシミリ装置を操作するためのもので、各種の操作キー、および、各種の表示器からなる。また、読取装置４は、所定の解像度で送信原稿画像を読み取るためのものであり、印字装置５は、所定の解像度で画像を記録出力するためのものである。
【００４８】
画像処理装置６は、画信号を符号化圧縮するとともに、符号化圧縮されている画情報を元の画信号に復号化伸張するためのものであり、画像蓄積装置７は、符号化圧縮された状態の画情報を多数記憶し、データボックス機能を実現するためのものである。
【００４９】
通信制御部９は、デジタル網に適した通信を制御するためのプログラムを格納したＲＯＭであり、通信制御部１０は、アナログ網に適した通信を制御するためのプログラムを格納したＲＯＭである。また、デジタル網制御装置１１は、デジタル網へ接続するためのもので、アナログ網制御装置１３は、自動発着信機能を有しアナログ公衆網へ接続するためのものである。モデム１２は低速モードと高速モードとを備え、回線切り替え制御装置１５は、複数の外部回線インタフェースと複数の内部通信回路を接続する。
【００５０】
上記したこのファクシミリ装置の各構成要素は、それぞれシステムバス１４に接続され、これら各要素間でのデータのやりとりは、主としてこのシステムバス１４を介して行われている。
【００５１】
また、このファクシミリ装置には、画像蓄積装置７を利用して複数のデータボックスが設けられており、システム制御部８には、受信したデータに対して当該データを格納すべき特定のデータボックスを選定するための規則が、ボックス選定規則として記憶されている。
【００５２】
この、ボックス選定規則による受信データの上記データボックスへの振り分け方法は、大きく
１）受信データを特定の１つのデータボックスに格納する。
【００５３】
２）受信データを所定の複数のデータボックスに格納する。
【００５４】
の２種類に分類でき、どちらの方法を採用するかは、ユーザが任意に設定できることが望ましい。
【００５５】
（実施の形態１）
まず、１）の受信データを特定の１つのデータボックスに格納する振り分け方法について説明する。
【００５６】
図２は、この実施の形態における受信データの振り分け方法の一例を説明する図である。
【００５７】
図２において、この実施の形態におけるファクシミリ装置のボックス選定規則は、受信したデータの属性を示す属性情報のうちの、発信者番号情報、着信ダイヤルイン情報、着信回線種別情報の各々について属性情報とボックス番号とが対応付けられて登録された、発信者番号対応テーブル、着信ダイヤルイン対応テーブル、着信回線種別対応テーブルの３つの振り分けテーブルと、この３つの振り分けテーブルの優先度を順位付けた優先順位テーブルとから構成されている。
【００５８】
なお、上記の振り分けテーブルおよび優先順位テーブルの設定は、ユーザが任意に行なえるものとする。
【００５９】
さて、以下に、発信者番号「０４５−００００−０００１」のファクシミリ装置から、着信ダイヤルイン「０１９０−１２３４−０００４」宛に着信回線ＰＳＴＮ２を介してデータが送信された場合に、図２に示す振り分けテーブルおよび優先順位テーブルから構成されるボックス選定規則によって当該データを格納すべきデータボックスを選定する方法を説明する。
【００６０】
まず、優先順位テーブルに基づいて、最初に参照すべき振り分けテーブルを選ぶ。ここでは、１番目に参照すべき振り分けテーブルとして着信ダイヤルイン対応テーブルが設定されているので、最初にこの着信ダイヤルイン対応テーブルを参照して、受信データの属性情報と一致する情報を探す。
【００６１】
ところが、この着信ダイヤルイン対応テーブルには、着信ダイヤルイン「０１９０−１２３４−０００４」は登録されていないので、続いて、優先順位テーブルに基づき２番目に参照すべき振り分けテーブルとして発信者番号対応テーブルを選び、この発信者番号対応テーブルから受信データの属性情報と一致する情報を探す。
【００６２】
この発信者番号対応テーブルには、発信者番号「０４５−００００−０００１」が登録されているので、当該受信したデータを発信者番号「０４５−００００−０００１」に対応するボックス１５０番に格納する。
【００６３】
ここで、上記の振り分け方法では、受信データの属性情報毎にそれぞれ振り分けテーブルを設定したが、この振り分けテーブルの設定方法は、上記の方法に限らず様々に設定することが可能である。
【００６４】
例えば、図３に示すように、受信側情報（着信ダイヤルイン、着信回線種別等）対応テーブルと発信側情報（発信者番号等）対応テーブルの２つの振り分けテーブルを設定しても良い。
【００６５】
このとき、各振り分けテーブルにおいて、登録された各情報に対して順位付けが必要となる。
【００６６】
つまり、図３において、受信側情報対応テーブルには、着信ダイヤルイン情報と着信回線種別情報とが混在しているので、受信したデータに付加されて受信した着信ダイヤルイン情報と着信回線種別情報の両方ともが当該受信側対応テーブルに登録されていた場合、どちらの条件を優先するかを指定しておかなくてはならない。
【００６７】
この受信側対応テーブルでは、受信データの属性情報のうちの着信ダイヤルイン「０１９０−１２３４−０００４」および着信回線種別ＰＳＴＮ２の両方について、対応するボックス番号と対応付けられて登録されているが、受信側情報対応テーブル内において、着信ダイヤルイン「０１９０−１２３４−０００４」の方が優先度が高いので、受信したデータはボックス８０番に格納される。
【００６８】
また、例えば、図４に示すように、着信回線種別対応テーブルとその他の属性情報（発信者番号、着信ダイヤルイン等）対応テーブルの２つの振り分けテーブルを設定しても良い。
【００６９】
この場合も、上記と同様の理由により、各振り分けテーブルにおいて登録された各情報に対する順位付けが必要となる。
【００７０】
さらに、図５に示すように、各種振り分け条件を単一の振り分けテーブルにまとめ、登録した情報に順位付けすることによって、ボックス選定規則を構成しても良い。
【００７１】
この振り分けテーブルによれば、受信データの属性情報のうちの着信ダイヤルイン「０１９０−１２３４−０００４」および着信回線種別ＰＳＴＮ２について、ボックス番号と対応付けられて登録されているが、着信ダイヤルイン「０１９０−１２３４−０００４」の方が優先度が高いので、受信したデータはボックス９０番に格納される。
【００７２】
なお、図２乃至図５に示す各振り分けテーブルには、振り分けを行ないたい属性情報だけを登録すれば良い。
【００７３】
例えば、図２の着信回線種別対応テーブルでは、ＰＳＴＮ２への着信による受信データの格納先データボックスついては登録されているが、ＰＳＴＮ１への着信による受信データについては登録されていない。
【００７４】
したがって、ＰＳＴＮ２への着信による受信データは、着信回線種別対応テーブルの設定通りボックス９０番に格納されるが、ＰＳＴＮ１への着信による受信データに関しては、このＰＳＴＮ１への着信という条件による振り分けはなされない。
【００７５】
また、優先順位テーブルでは、参照する振り分けテーブルの優先順位を設定するとともに、参照せずに無効にしたい振り分けテーブルに関しては「参照しない」と設定することで、この振り分けテーブルを無効にすることができる。
【００７６】
さらに、発信者によって親展指定されたデータを受信した場合にも、優先順位テーブルの項目に「発信側の親展指定」を優先順位を付して加えておくことで対応できる。
【００７７】
（実施の形態２）
次に、２）受信データを所定の複数のデータボックスに格納する振り分け方法について説明する。
【００７８】
基本的に、この実施の形態においても、図２乃至図４に示す振り分けテーブルに基づいてデータの振り分けが行なわれる。
【００７９】
実施の形態１では、優先順位を付して優先度の一番高いボックスのみに受信データを格納したが、この実施の形態においては、優先順位を設けずに振り分けテーブルに登録された条件に合致する全てのデータボックスに受信データを格納する。
【００８０】
以下に、発信者番号「０３−５５５５−５５５５」のファクシミリ装置から、着信ダイヤルイン「０１９０−１２３４−０００２」宛に着信回線ＰＳＴＮ１を介してデータが送信された場合に、図２に示す振り分けテーブルを有するボックス選定規則によって当該データを格納すべきデータボックスを選定する方法を説明する。
【００８１】
なお、ここでは、図２に示す優先順位テーブルに基づいた順序で、各振り分けテーブルを参照していくことにするが、もちろん、この振り分けテーブルの参照順序はどのような順序でも良い。
【００８２】
図６は、この実施の形態における受信データの振り分け方法の一例を説明する図である。
【００８３】
まず、着信ダイヤルイン対応テーブルを走査すると、着信ダイヤルイン番号「０１９０−１２３４−０００２」が見つかるので、当該受信データを対応するボックス８０番に格納する。
【００８４】
次に、発信者番号対応テーブルを走査すると、発信者番号「０３−５５５５−５５５５」が登録されているので、当該受信したデータを対応するボックス８０番に格納する。
【００８５】
次に、着信回線種別対応テーブルを走査すると、着信回線ＰＳＴＮ１が登録されているので、当該受信したデータを対応するボックス９０番に格納する。
【００８６】
さて、このような方法によると、ボックス８０番には、同一の受信データが２つ格納されてしまう。
【００８７】
そこで、振り分けによってボックスにデータを格納する度に、当該ボックスに同一のデータが格納されていないかどうかをチェックし、すでに格納されている場合は、
１）  当該データを格納しない、
２）  当該データを上書きする
等の処理を行うことで、同一のデータボックスに対して同一データが格納されることを防ぐことができる。
【００８８】
さて、ここまでは、条件の合致する全てのボックスに受信データそのものを格納する構成について説明したが、これは記憶容量の浪費につながる。
【００８９】
そこで、特定の一ヶ所にデータの実体を格納し、他のボックスには当該データの存在位置を指し示す参照情報（リファレンス）を格納する。
【００９０】
リファレンスを利用したデータの振り分け方法の一例として、図７に示すように、優先順位が最上のデータボックスにデータの実体を格納し、他のデータボックスには当該データへのリファレンスを格納する方法について説明する。
【００９１】
図７において、まず、着信ダイヤルイン対応テーブルを走査した結果、着信ダイヤルイン「０１９０−１２３４−０００２」が見つかるので、当該データをこの着信ダイヤルイン「０１９０−１２３４−０００２」に対応して登録されたボックス８０番に格納する。
【００９２】
次に、発信者番号対応テーブルに発信者番号「０３−５５５５−５５５５」が見つかるが、この発信者番号「０３−５５５５−５５５５−」に対応して登録されたボックス８０番にはすでに受信データが格納されているので、リファレンスの格納は行なわない。
【００９３】
次に、着信回線種別対応テーブルを走査すると、着信回線ＰＳＴＮ１が登録されているので、着信回線ＰＳＴＮに対応して登録されたボックス９０番に当該受信したデータへのリファレンスを格納する。
【００９４】
また、リファレンスを利用したデータの振り分け方法の別の一例として、図８に示すように、データボックスとは別に設けられた記憶領域をデータ管理システムとして用意し、受信したデータの実体をこのデータ管理システムに格納し、振り分けテーブルを走査して、受信データの属性情報と一致する属性情報に対応して登録されたデータボックスの全てにリファレンス情報を格納するよう構成することもできる。
【００９５】
ところで、リファレンスを用いる振り分け方法においては、格納したデータの削除の方法が問題になってくる。
【００９６】
つまり、データの実体を保持している場所で当該データが削除された場合、他のボックスに格納されている当該データへのリファレンスは、その指し示す先を失ってしまうことになる。
【００９７】
そこで、
１）  データの実体が削除指示された場合、当該データへのリファレンス情報も全て探し出して削除する。
【００９８】
２）  データの実体が削除指示された場合、当該データへのリファレンスを格納しているデータボックスのうちの、ボックス選定規則において優先順位が最上であるデータボックスに当該データの実体を移動し、その他ボックスに格納されている当該データへのリファレンスの参照先を移動先に変更する。
【００９９】
３）  少なくとも１つのリファレンスが削除指示された場合、当該削除指示されたリファレンスだけを削除し、当該リファレンスが参照するデータの実体および他のリファレンスは削除しない。
【０１００】
４）  少なくとも１つのリファレンスが削除指示された場合、当該リファレンスが参照するデータの実体およびその他のリファレンスも全て削除する。
【０１０１】
のいずれかの削除方法を適用することで、上記の問題は解決される。
【０１０２】
ここで、１）、２）、４）に記載したような「道連れ」処理を実現するための構成としては、データの実体を格納した場所に全てのリファレンスの格納位置を記憶させるか、若しくは、別途参照関係リストを所持していおく構成が可能である。
【０１０３】
なお、データの削除とは、ユーザによる削除指示によるものとプリントされた結果行なわれるものとが含まれる。
【０１０４】
さて、ここまでは、受信したデータに発信側からの親展指定がないことを前提にしていたが、発信側が親展指定してくる場合も当然考えられる。
【０１０５】
しかしながら、上記した振り分け方法では、発信側が指定したボックス以外にも、受信したデータの属性情報と一致する属性情報が振り分けテーブルに登録されていた場合、この属性情報に対応する全てのボックスに、受信データ若しくはそのリファレンスが格納されてしまい、親展指定の意味がなくなってしまう。
【０１０６】
そこで、
１）  親展指定されたデータは、ボックス選定規則による振り分けを行なわない。
【０１０７】
２）  親展指定されたボックス以外のボックスに対しても、ボックス選定規則に基づいて受信データのリファレンスを格納するが、親展指定されたボックス以外のボックスを管理するユーザに対しては、当該受信データをプリントする際に、親展指定対象のボックスのパスワードも聞く等の制限を設ける。
【０１０８】
のいずれかの方法を適用することで、上記の問題は解決される。
【０１０９】
１）に記載した方法は、つまり、親展指定されたボックスだけに受信データを格納するものである。
【０１１０】
２）に記載した方法を実現するために、前述したリファレンス情報に２種類のバリエーションを与える。
【０１１１】
つまり、リファレンスとして、単純なデータの参照情報のみを含むリファレンス（単純リファレンス）と、所定の条件が付されたリファレンス（条件付きリファレンス）の２種類を用意する。
【０１１２】
ここで、所定の条件とは、例えば、親展指定されたボックスのパスワードを要求する等の条件である。
【０１１３】
そして、データの実体をデータ管理システムに格納し、親展指定されたボックスに単純リファレンスを、振り分けテーブルによって選定されたボックスには条件付きリファレンスを格納する。
【０１１４】
図９は、上記のリファレンスに２種類のバリエーションを与え、ボックス１５２番に対して親展指定されたデータを受信した場合の振り分け方法の一例を示す図である。
【０１１５】
まず、受信した画像データ「００１１０９．ｉｍａｇｅ」の実体をデータ管理システムに格納し、続いて、進展指定対象のボックス１５２番に画像データ「００１１０９．ｉｍａｇｅ」への単純リファレンスを格納する。
【０１１６】
次に、振り分けテーブルを参照して、この画像データの属性情報と一致する属性情報に対応して登録されたデータボックスに、画像データ「００１１０９．ｉｍａｇｅ」への条件付きリファレンス情報を格納する。
【０１１７】
ボックス１５２番を使用しているユーザが、ボックス１５２番のパスワードを入力の上、当該ボックス１５２番のプリント画面に入り、画像データ「００１１０９．ｉｍａｇｅ」の印刷要求を出した場合は、即、印刷処理される。
【０１１８】
しかし、ボックス８０番を使用しているユーザが、ボックス８０番のパスワードを入力の上、当該ボックス８０番のプリント画面に入り、画像データ「００１１０９．ｉｍａｇｅ」の印刷要求を出した場合は、プリント画面上でこの画像データ「００１１０９．ｉｍａｇｅ」がボックス１５２番に親展指定されたデータである旨を表示し、ボックス１５２番のパスワードの入力を求める。
【０１１９】
【発明の効果】
以上説明したように、この発明によれば、
１）  様々の振り分け方法をユーザが自由に組み合わせることによって柔軟な振り分け処理が可能になる
２）  振り分け設定と中継同報等の各種機能との矛盾を回避できる
３）  振り分け機能による親展通信の秘匿性の低減を回避できる
という効果を奏する。
【図面の簡単な説明】
【図１】この発明に係るファクシミリ装置の構成図である。
【図２】この発明に係るデータボックスの選定方法の一例を示す図である。
【図３】この発明に係るデータボックスの選定方法の一例を示す図である。
【図４】この発明に係るデータボックスの選定方法の一例を示す図である。
【図５】この発明に係るデータボックスの選定方法の一例を示す図である。
【図６】１つのデータボックスに対して同一のデータの格納指示が２回以上出た場合の処理方法の一例を説明する図である。
【図７】リファレンスを利用したデータの振り分け方法の一例を説明する図である。
【図８】リファレンスを利用したデータの振り分け方法の一例を説明する図である。
【図９】２種類のリファレンスを利用したデータの振り分け方法の一例を説明する図である。
【符号の説明】
１    ＣＰＵ
２    ＲＡＭ
３    操作表示装置
４    読取装置
５    印字装置
６    画像処理装置
７    画像蓄積装置
８    システム制御部
９、１０    通信制御部
１１    デジタル網制御装置
１２    モデム
１３    アナログ網制御装置
１４    システムバス
１５    制御装置
【図１】
0003912000.tif 000002
【図２】
0003912000.tif 000003
【図３】
0003912000.tif 000004
【図４】
0003912000.tif 000005
【図５】
0003912000.tif 000006
【図６】
0003912000.tif 000007
【図７】
0003912000.tif 000008
【図８】
0003912000.tif 000009
【図９】
0003912000.tif 000010